(57)【要約】【課題】  配管の接続に用いられる止水構造に関し、接続部分における水密性を向上させつつ、衛生的且つ意匠性の高い止水構造の提供を目的とする。【解決手段】  止水部材４はゴム等の弾性素材より成る環状の止水パッキンであって、その上面及び下面において環状の凸部４１ａ、凸部４１ｂが形成されている。ここで、凸部４１ａは倒れ方向の規制手段として、内周側の立ち上がり部分において形成された溝部４２、４２と、凸部４１の上端に形成された傾斜面４３を備えている。溝部４２は止水部材４が上下方向に肉薄となるよう形成された凹状部であり、凸部４１ａが内側に倒れるように誘導する。又、傾斜面４３は凸部４１ａの倒れ方向、即ち外側から内側に向けて凸部４１ａの先端が先細りとなるように傾斜しており、傾斜面４３に対して天地方向に応力が加わった際、当該応力の一部を止水部材４の内周方向への応力へと変換する。【選択図】図３
2018165534.tif 000002
【特許請求の範囲】
【請求項１】
配管の接続に用いられる止水構造であって、
配管と、配管が接続される被接続部材との間に挟持され、配管と被接続部材間の止水を行う止水部材と、
止水部材に形成された、配管又は被接続部材に向けて突設された凸部と、
配管の接続時における上記凸部の倒れ方向を規制する規制手段からなる止水構造。
【請求項２】
前記規制手段は、
凸部の倒れ方向側において、凸部に沿って止水部材に形成された溝部より成ることを特徴とする請求項１に記載の止水構造。
【請求項３】
前記規制手段は、
前記凸部に形成された、倒れ方向に向けて傾斜する傾斜面より成ることを特徴とする請求項１に記載の止水構造。
【請求項４】
前記規制手段は、
前記配管又は被接続部材に形成された、凸部の倒れ方向に向けて傾斜する傾斜面により成ることを特徴とする請求項１に記載の止水構造。
【請求項５】
前記規制手段は、
前記配管又は被接続部材に形成された、止水部材にむけて突出する段部により成ることを特徴とする請求項１に記載の止水構造。
【請求項６】
前記規制手段は、
前記凸部が倒れ方向側に向けて傾斜していることにより成ることを特徴とする請求項１に記載の止水構造。
【請求項７】
前記規制手段は、
凸部の倒れ方向側を低剛性部とすることにより成ることを特徴とする請求項１に記載の止水構造。
【発明の詳細な説明】
【技術分野】
【０００１】
本発明は、配管の接続の際に用いられる止水構造に関するものである。
【背景技術】
【０００２】
従来から、配管の接続を行う場合には、接続部分からの漏水を防ぐため、ゴム等の弾性素材から成る止水部材を接続部分に配置する構造が知られている。
【０００３】
特許文献１には、配管の接続に用いられる止水構造が記載されている。当該止水構造において、配管は流し台の底面に形成された開口に取り付けられて排水口を形成する排水器であり、上端に外向きに延設されたフランジ部を有している。又、配管が接続される被接続部材は流し台である。特許文献１において、配管は流し台を介してナットに螺合されており、フランジ部とナットが止水部材を介して流し台底面の開口周縁を挟持することで水密に流し台に接続されている。止水部材はゴム等の弾性素材からなる円環状であり、上面にはフランジ部に向けて突設された環状の凸部を有しており、当該凸部が配管に対して圧接することで水密性を向上させている。
【０００４】
ここで、図１０（ａ）に示すように、排水器のフランジ部にカシメ加工が成されている場合、フランジ部とカシメ部分との隙間Ｃより配管内部に排水が侵入することがあった。そこで、図１０（ｂ）のように、止水部材の外周端部に凸部を形成し、当該凸部を隙間Ｃよりも外側であるカシメ部分に当接させるように構成することで、隙間Ｃからの排水の侵入を防ぐことが可能となった。
又、図１０に示した従来の止水部材には、凸部の外側に排水や厨芥が堆積してしまうため、不衛生であったが、図１１に示した止水部材は外周端部に凸部が形成されていることにより、従来の止水部材のように凸部より外側に排水やゴミ等が堆積することを防ぐことが可能となり、配管又は被接続部材がカシメ部を有していない場合であっても有用であった。
【０００５】
しかし、図１２（ａ）に示すように、上記止水部材を使用して配管の接続を行った際、図１２（ｂ）に示すように、配管の接続時において、配管の外側に向けて凸部が倒れた場合、当該倒れた凸部が配管の外側より露出し、意匠性が損なわれるという新たな問題が生じた。
【先行技術文献】
【特許文献】
【０００６】
【特許文献１】特開２００２−１３１７５号公報
【発明の概要】
【発明が解決しようとする課題】
【０００７】
本発明は上記問題に鑑み発明されたものであって、配管の接続に用いられる止水構造に関し、接続部分における水密性を向上させつつ、衛生的且つ意匠性の高い止水構造の提供を目的とする。
【課題を解決するための手段】
【０００８】
請求項１に記載の本発明は、配管の接続に用いられる止水構造であって、
配管と、配管が接続される被接続部材 との間に挟持され、配管と被接続部材間の止水を行う止水部材と、
止水部材に形成された、配管又は被接続部材に向けて突設された凸部と、
配管の接続時における上記凸部の倒れ方向を規制する規制手段からなる止水構造である。
【０００９】
請求項２に記載の本発明は、前記規制手段は、
凸部の倒れ方向側において、凸部に沿って止水部材に形成された溝部より成ることを特徴とする請求項１に記載の止水構造である。
【００１０】
請求項３に記載の本発明は、前記規制手段は、
前記凸部に形成された、倒れ方向に向けて傾斜する傾斜面より成ることを特徴とする請求項１に記載の止水構造である。
【００１１】
請求項４に記載の本発明は、前記規制手段は、
前記配管又は被接続部材に形成された、凸部の倒れ方向に向けて傾斜する傾斜面により成ることを特徴とする請求項１に記載の止水構造である。
【００１２】
請求項５に記載の本発明は、前記規制手段は、
前記配管又は被接続部材に形成された、止水部材にむけて突出する段部により成ることを特徴とする請求項１に記載の止水構造である。
【００１３】
請求項６に記載の本発明は、前記規制手段は、
前記凸部が倒れ方向側に向けて傾斜していることにより成ることを特徴とする請求項１に記載の止水構造である。
【発明の効果】
【００１４】
本発明によれば、凸部の倒れ方向を規制する規制手段を備えることにより、任意の方向に凸部を倒れさせることが可能となる。従って、接続部分における水密性を向上させつつ、配管や被接続部材から止水部材が露出することによる意匠性の低下を防ぐことが可能となる。
【図面の簡単な説明】
【００１５】
【図１】本発明の施工状態を示す断面図である。
【図２】（ａ）排水器近傍を示す断面図、（ｂ）図２（ａ）のＡ部拡大図である。
【図３】止水部材を示す（ａ）平面図（ｂ）図３（ａ）のＡ−Ａ’断面図である。
【図４】第二実施形態を示す要部拡大断面図である。
【図５】第三実施形態に係る止水部材の要部断面図である。
【図６】第四実施形態を示す要部拡大断面図である。
【図７】第五実施形態に係る止水部材の要部断面図である。
【図８】止水部材が挟圧された際の変形の例を示す要部拡大断面図である。
【図９】止水部材が挟圧された際の変形の例を示す要部拡大断面図である。
【図１０】従来の止水構造を示す（ａ）断面図（ｂ）図１０（ａ）のＡ部拡大図である。
【図１１】止水部材を示す（ａ）平面図（ｂ）図１１（ａ）のＡ−Ａ’断面図である。
【図１２】従来の止水構造を示す（ａ）断面図（ｂ）図１２（ａ）のＡ部拡大図である。
【発明を実施するための形態】
【００１６】
以下に、本発明の止水構造を、図面を参照しつつ説明する。尚、以下に記載する説明は実施形態の理解を容易にするものであって、これによって本発明が制限して理解されるものではない。又、以下の実施形態においては、特に断りの無い限り図１に示す施工状態を基準として上下左右を説明する。
【００１７】
図１乃至図３に示すように、第一実施形態に係る止水構造は配管の接続に用いられる止水構造であって、配管Ｐとしての排水器２と、当該排水器２が接続される被接続部材Ｓである流し台１と、排水器２と流し台１に挟持され、部材間の止水を行う止水部材４を備えている。又、排水器２はその下流側においてエルボ管５と排水トラップ６が接続されている。
【００１８】
流し台１は上方が開口されたステンレス製の槽体であって、図示しないキャビネット上に載置されている。又、流し台１はその底面において平面視円環状の陥没部１１が形成されているとともに、当該陥没部１１の内側に円形の開口が形成されている。
【００１９】
排水器２はポリプロピレン等の硬質樹脂から成る排水配管であって、上方が開放された筒状の胴部２１を有し、胴部２１上端より外側に向けてフランジ部２２が形成されているとともに、胴部２１の外周にはフランジ部２２の下方から胴部２１の中程にかけて雄螺子部２３が螺刻されている。又、排水器２の底部には側方へ向けて排出口２４が延設されており、当該排出口２４にはエルボ管５が接続されている。又、排水器２はステンレス製の薄板によってカシメ加工されたカシメ部２５を有している。
胴部２１の外径は流し台１の底面に形成された開口よりも小径であるが、フランジ部２２の外径は上記開口より大径である。又、雄螺子部２３には流し台１裏側よりナット３の雌螺子部３１が螺合されている。従って、排水器２が流し台１に取り付けられた状態において、フランジ部２２の裏面は止水部材４を介して流し台１の開口周縁と当接し、ナット３とフランジ部２２によって、流し台１の開口周縁及び止水部材４を挟圧している。
フランジ部２２は外周縁において、下面側にテーパ面２６が形成されている。当該テーパ面２６はフランジ部２２の下面よりも上面側が大径となる様、外側に向けて傾斜している。
カシメ部２５は、図２に示すように、排水器２の内側からフランジ部２２の上面、テーパ面２６下端にかけて薄板が覆うことにより形成されている。ここで、カシメ部２５の端部とフランジ部２２下面の樹脂部分（非カシメ部）との間には隙間Ｃが形成されている。
【００２０】
止水部材４はゴム等の弾性素材より成る環状の止水パッキンであって、その上面及び下面において環状の凸部４１が全周に亘り形成されているとともに、止水部材４はその上面及び下面が排水器２と流し台１によって挟持されている。又、止水部材４は図３に示すように、平面視において環状であって、且つ断面図において上下左右対象形状となっている。
凸部４１は止水部材４の外周端部において形成された凸部４１ａと、凸部４１ａよりも中央寄りに形成された凸部４１ｂより成る２重の環状であって、配管Ｐ又は被接続部材Ｓとの当接方向、即ち本実施形態においてはフランジ部２２下面と流し台１底面に向けて突設されている。又、図２（ｂ）に示すように、施工完了状態において、凸部４１ａはテーパ面２６（カシメ部２５）に、凸部４１ｂはフランジ部２２下面の樹脂部分（非カシメ部）と当接しており、凸部４１ａは隙間Ｃよりも外側において止水を行っている。
凸部４１ａは凸部４１ｂよりも全高が大きくなるよう形成されている。従って、図３（ｂ）に示すように、止水部材４の上面側に形成された凸部４１において、凸部４１ａは凸部４１ｂよりも上方にまで延設されているとともに、止水部材４の下面側に形成された凸部４１において、凸部４１ａは凸部４１ｂよりも下方にまで延設されている。
ここで、凸部４１ａは倒れ方向の規制手段として、内周側の立ち上がり部分において形成された溝部４２、４２と、凸部４１の上端に形成された傾斜面４３を備えている。溝部４２は止水部材４が上下方向に肉薄となるよう形成された凹状部であり、凸部４１ａが内側に倒れるように誘導する。又、傾斜面４３は凸部４１ａの倒れ方向、即ち外側から内側に向けて凸部４１ａの先端が先細りとなるように傾斜しており、傾斜面４３に対して天地方向に応力が加わった際、当該応力の一部を止水部材４の内周方向への応力へと変換する。
【００２１】
エルボ管５は側面視略Ｌ字状の排水配管であって、上端側が排出口２４に接続された水平管部と、水平管部から約９０度屈曲して形成され、下端が排水トラップ６と接続された垂直管部から構成されている。
【００２２】
排水トラップ６は側面視略Ｓ字形状であって、内部の排水流路を貯留された排水で満たし、下流側からの悪臭や害虫が屋内へと侵入することを防ぐトラップ機能を有する排水配管である。
【００２３】
上記本発明の第一実施形態に係る止水構造は以下のようにして接続される。
【００２４】
まず、排水器２のフランジ部２２下方に止水部材４を配置した状態で、流し台１底面に形成された開口に、上方から排水器２を挿通する。次に、排出口２４側から胴部２１にナット３を通し、雄螺子部２３にナット３の雌螺子部３１を螺合させて、ナット３を流し台１裏面に取り付ける。この時、止水部材４がフランジ部２２下面と流し台１上面によって、上下方向より挟圧される。又、図２（ｂ）に示すように、凸部４１の内、凸部４１ａはフランジ部２２のカシメ部２５であるテーパ面２６に当接し、凸部４１ｂは非カシメ部である硬質樹脂部分に当接する。
尚、上記止水部材４がフランジ部２２に当接する際、凸部４１ａはテーパ面２６と当接するため、凸部４１よりもフランジ部２２との当接位置が上方となるが、上述の通り凸部４１ａは凸部４１ｂよりも上方まで延設されているため、凸部４１ａと凸部４１ｂはほぼ同時にフランジ部２２に当接する。
そして、止水部材４とフランジ部２２が当接した状態よりナット３と排水器２の螺合が進められると、止水部材４がフランジ部２２と流し台１によって挟圧され、凸部４１ａ及び凸部４１ｂには上下方向より圧力が加わることで排水器２と流し台１との間の止水が行われる。尚、上記挟圧により押し潰された止水部材４は上下方向が圧縮される一方で径方向外側に広がるが、凸部４１はフランジ部２２や流し台に当接しているとともに、倒れ方向の規制手段を備えていることから内側に向けて倒れようとする。即ち、凸部４１ａは上方に傾斜面４３を備えており、フランジ部２２から受ける下方への応力の一部を凸部４１ａの倒れ方向、即ち周方向内側への応力へと変換する。又、凸部４１ａは内周側の立ち上がり部分に溝部４２が形成されていることから、外側よりも内側に倒れ易くなっている。従って、フランジ部２２と流し台１によって挟圧された際、凸部４１ａの倒れ方向は内側へと規制される。従って、排水器２が流し台１に接続された状態において、止水部材４がフランジ部２２の外側より露出することはない。
最後に、排出口２４にエルボ管５と排水トラップ６を接続し、排水配管の接続が完了する。
【００２５】
上記本発明の止水構造においては、凸部４１ａがフランジ部２２のカシメ部２５と当接するため、カシメ部２５と非カシメ部分（硬質樹脂部分）との隙間Ｃからの排水の侵入を防ぐことができる。
又、本発明は凸部４１の倒れ方向の規制手段として傾斜面４３と溝部４２を備えており、凸部４１は配管Ｐの接続時に内側に倒れるよう規制されている。従って、凸部４１が外側に倒れることによって、フランジ部２２の外側から凸部４１が露出することによる意匠性の低下を防ぐことが可能となる。
【００２６】
以下に、本発明の第二実施形態について説明する。尚、以下に記載する止水構造は、排水器２以外は上記第一実施形態と同じ部材であるため、第一実施形態と同一の番号を付してその説明を省略する。
【００２７】
図４に示すように、第二実施形態に係る止水構造は排水配管の接続に用いられる止水構造であって、配管Ｐとしての排水器２と、当該排水器２が接続される被接続部材Ｓである流し台１と、排水器２と流し台１に挟持され、部材間の止水を行う止水部材４を備えている。又、排水器２はその下流側においてエルボ管５と排水トラップ６が接続されている。
【００２８】
排水器２はポリプロピレン等の硬質樹脂から成る排水配管であって、上方が開放された筒状の胴部２１を有し、胴部２１上端より外側に向けてフランジ部２２が形成されているとともに、胴部２１の外周にはフランジ部２２の下方から胴部２１の中程にかけて雄螺子部２３が螺刻されている。又、排水器２の底部には側方へ向けて排出口２４が延設されており、当該排出口２４にはエルボ管５が接続されている。又、排水器２はステンレス製の薄板によってカシメ加工されたカシメ部２５を有している。
胴部２１の外径は流し台１の底面に形成された開口よりも小径であるが、フランジ部２２の外径は上記開口より大径である。又、雄螺子部２３には流し台１裏側よりナット３の雌螺子部３１が螺合されている。従って、排水器２が流し台１に取り付けられた状態において、フランジ部２２の裏面は止水部材４を介して流し台１の開口周縁と当接し、ナット３とフランジ部２２によって、流し台１の開口周縁及び止水部材４を挟圧している。
フランジ部２２は外周縁において、下面側にテーパ面２６が形成されている。当該テーパ面２６は下面側よりも上面側が大径となる様、外側に向けて傾斜している。又、フランジ部２２は下面において、テーパ面２６下端より内側に向けて、傾斜面７が形成されている。傾斜面７は本実施形態における凸部４１ａの倒れ方向の規制手段であり、凸部４１ａの倒れ方向、即ち傾斜面７が内周側を向くように形成されている。従って、フランジ部２２はテーパ面２６下端から内側に進むにつれて、上方へ向かうよう傾斜面７が形成されている。
カシメ部２５は、排水器２の内側からフランジ部２２の上面、テーパ面２６及び傾斜面７にかけて薄板が覆うことにより形成されている。ここで、カシメ部２５の端部とフランジ部２２下面の樹脂部分（非カシメ部）との間には隙間Ｃが形成されている。
尚、施工完了状態において、止水部材４の凸部４１ａは傾斜面７（カシメ部２５）に、凸部４１ｂはフランジ部２２下面の樹脂部分（非カシメ部）と当接しており、凸部４１ａは隙間Ｃよりも外側において止水を行っている。
【００２９】
上記本発明の第二実施形態に係る止水構造は以下のようにして接続される。
【００３０】
まず、排水器２のフランジ部２２下方に止水部材４を配置した状態で、流し台１底面に形成された開口に、上方から排水器２を挿通する。次に、排出口２４側から胴部２１にナット３を通し、雄螺子部２３にナット３の雌螺子部３１を螺合させて、ナット３を流し台１裏面に取り付ける。この時、止水部材４がフランジ部２２下面と流し台１上面によって、上下方向より挟圧される。又、に示すように、凸部４１の内、凸部４１ａはフランジ部２２のカシメ部２５である傾斜面７に当接し、凸部４１ｂは非カシメ部である硬質樹脂部分に当接する。
そして、止水部材４とフランジ部２２が当接した状態よりナット３と排水器２の螺合が進められると、止水部材４がフランジ部２２と流し台１によって挟圧され、凸部４１ａ及び凸部４１ｂには上下方向より圧力が加わることで排水器２と流し台１との間の止水が行われる。尚、上記挟圧により押し潰された止水部材４は上下方向が圧縮される一方、径方向外側に広がるよう力が働くが、凸部４１はフランジ部２２や流し台に当接しているとともに、倒れ方向の規制手段を備えていることから内側に向けて倒れようとする。即ち、フランジ部２２は下面において傾斜面７を備えており、凸部４１ａへ与える下方への応力の一部を凸部４１ａの倒れ方向である周方向内側への応力へと変換する。従って、フランジ部２２と流し台１によって挟圧された際、凸部４１ａの倒れ方向は内側へと規制される。従って、排水器２が流し台１に接続された状態において、止水部材４がフランジ部２２の外側より露出することはない。
最後に、排出口２４にエルボ管５と排水トラップ６を接続し、排水配管の接続が完了する。
【００３１】
上記本発明の止水構造においては、凸部４１ａがフランジ部２２の傾斜面７と当接するため、カシメ部２５と非カシメ部分（硬質樹脂部分）との隙間Ｃからの排水の侵入を防ぐことができる。
又、本発明は凸部４１の倒れ方向の規制手段として傾斜面７を備えており、凸部４１は排水配管の接続時に内側に倒れるよう規制されている。従って、凸部４１が外側に倒れることによって、フランジ部２２の外側から凸部４１が露出することによる意匠性の低下を防ぐことが可能となる。
【００３２】
本発明は上記第一実施形態及び第二実施形態以外にも、特許請求の範囲を逸脱しない範囲において適宜変更が可能である。
【００３３】
例えば上記第一実施形態及び第二実施形態において、傾斜面４３、傾斜面７は直線状に形成されていたが、傾斜面４３、傾斜面７が断面視略弧状に形成されていても良いものであり、凸部４１ａに圧力が加わった際に、当該圧力の方向を凸部４１ａの倒れ方向へと変換可能な形状であれば良い。
【００３４】
又、溝部４２は凸部４１ａの立ち上がり部分において上下方向に凹状となるよう形成されていたが、図５に示す第三実施形態のように、凸部４１ａに向けて凹状となるよう形成されていても良い。
【００３５】
又、上記第二実施形態において、フランジ部２２は下面に形成された傾斜面４３によって凸部４１ａの倒れ方向を規制していたが、図６に示す第四実施形態のようにフランジ部２２の外端より下方に向けて形成された段部２７よって規制手段が構成されても良い。当該第四実施形態においては、凸部４１ａは段部２７の内側に配置されており、凸部４１ａの外側と当接しているため、凸部４１ａが外側に向けて倒れることを防ぐことができる。尚、第二実施形態における傾斜面４３や第四実施形態における段部２７は配管Ｐであるフランジ部２２（排水器２）ではなく、被接続部材Ｓ側に形成しても良い。
【００３６】
又、図７に示す第五実施形態のように、倒れ方向の規制手段を凸部４１が倒れ方向に向けて傾斜するように形成しても良い。
【００３７】
又、倒れ方向の規制手段を、凸部４１の倒れ方向側を低剛性部とし、配管Ｐと被接続部材Ｓによって挟持された際に低剛性側へと倒れるよう構成しても良い。
【００３８】
本発明の実施形態は以上であるが、本発明においては、凸部の倒れ方向の規制手段を備えているため、凸部が配管等から露出することを防ぐことができる。
尚、各実施形態において示した凸部の倒れ方は一例であり、止水部材の形状、剛性、部材同士の形状、施工方法等によって異なるものである。従って、例えば図８に示すように、凸部４１ａの立ち上がり部分が一旦外側へと撓んだ後に先端部にかけて内側に倒れる場合もあり、更に図９に示すように、凸部４１ａが上下方向に押し潰された際に、凸部４１ａの立ち上がり部分が左右方向に肉厚となるよう変形することによって外側へ倒れることを防ぐ様に変形する場合もある。
【００３９】
又、本発明の止水構造は上記実施形態において挙げた排水器２と流し台１との接続に限定されるものでは無く、その他の配管と被接続部材との接続に用いられても良いものである。
又、凸部の倒れ方向の規制手段は、常に凸部が内側に向けて倒れるよう規制する手段に限られるものではない。接続する配管の用途等に応じて、凸部が外側に向けて倒れる様規制する構造であっても良い。
【符号の説明】
【００４０】
１                    流し台
１１                  陥没部
２                    排水器
２１                  胴部
２２                  フランジ部
２３                  雄螺子部
２４                  排出口
２５                  カシメ部
２６                  テーパ面
２７                  段部
３                    ナット
３１                  雌螺子部
４                    止水部材
４１、４１ａ、４１ｂ  凸部
４２                  溝部
４３                  傾斜面
５                    エルボ管
６                    排水トラップ
７                    傾斜面
Ｐ                    配管
Ｓ                    被接続部材
Ｃ                    隙間
【図１】
2018165534.tif 000003
【図２】
2018165534.tif 000004
【図３】
2018165534.tif 000005
【図４】
2018165534.tif 000006
【図５】
2018165534.tif 000007
【図６】
2018165534.tif 000008
【図７】
2018165534.tif 000009
【図８】
2018165534.tif 000010
【図９】
2018165534.tif 000011
【図１０】
2018165534.tif 000012
【図１１】
2018165534.tif 000013
【図１２】
2018165534.tif 000014